(57)【要約】【課題】ユーザ端末およびその無線リソースを用いたフレーム送受信方法、並びに基地局の無線リソースを用いるフレーム送信方法が開示される。【解決手段】ユーザ端末において、アプリケーションが生成されれば、無線リソースの割り当てを要請し、要請に応じてデータフレームのためのデータ無線リソースおよびコントロールフレームのためのコントロール無線リソースを割り当てること、を含むことを特徴とするユーザ端末の無線リソースを用いるフレーム送信方法。【選択図】図８
2011139440.tif 000002
【特許請求の範囲】
【請求項１】
ユーザ端末の無線リソースを用いるフレーム送信方法において、
前記ユーザ端末においてアプリケーションが生成されれば、無線リソースの割り当てを要請し、
前記要請に応じて、データフレームのためのデータ無線リソースおよびコントロールフレームのためのコントロール無線リソースを割り当てること、
を含むことを特徴とするユーザ端末の無線リソースを用いるフレーム送信方法。
【請求項２】
前記割り当てられたデータ無線リソースを用いて前記データフレームを送信し、
前記割り当てられたコントロール無線リソースを用いて前記コントロールフレームを送信すること、
をさらに含むことを特徴とする請求項１に記載のユーザ端末の無線リソースを用いるフレーム送信方法。
【請求項３】
フローコントロール状態情報を確認して前記データフレームと前記コントロールフレームを送信可能か否かを確認し、
前記データフレームと前記コントロールフレームが送信可能であると確認されれば、パケットのヘッダ情報を確認して前記データフレームと前記コントロールフレームに逆多重化すること、
をさらに含むことを特徴とする請求項１に記載のユーザ端末の無線リソースを用いるフレーム送信方法。
【請求項４】
前記データフレームを送信することは、前記割り当てられたデータ無線リソースの識別情報を前記データフレームと共に送信することを特徴とする請求項２に記載のユーザ端末の無線リソースを用いるフレーム送信方法。
【請求項５】
前記データ無線リソースおよび前記コントロール無線リソースは基地局で割り当てられることを特徴とする請求項１に記載のユーザ端末の無線リソースを用いるフレーム送信方法。
【請求項６】
基地局から外部データフレームと外部コントロールフレームをそれぞれ前記割り当てられたデータ無線リソースおよびコントロール無線リソースを用いて受信すること、をさらに含むことを特徴とする請求項１に記載のユーザ端末の無線リソースを用いるフレーム送信方法。
【請求項７】
ユーザ端末の無線リソースを用いるフレーム送信方法において、
前記ユーザ端末において複数のアプリケーションが生成されれば、無線リソースの割り当てを要請し、
前記要請に応じて、複数のデータフレームのための複数のデータ無線リソースおよび複数のコントロールフレームのための１つの共用コントロール無線リソースを割り当て、
前記複数のデータフレームは、前記複数のデータ無線リソースを用いてそれぞれ送信し、前記複数のコントロールフレームは、前記共用コントロール無線リソースを用いて送信すること、
を含むことを特徴とするユーザ端末の無線リソースを用いるフレーム送信方法。
【請求項８】
フローコントロール状態情報を確認して前記複数のデータフレームと前記複数のコントロールフレームが送信可能か否かを確認し、
前記複数のデータフレームと前記複数のコントロールフレームが送信可能であると確認されれば、パケットのヘッダ情報を確認して前記複数のデータフレームと前記複数のコントロールフレームに逆多重化すること、
をさらに含むことを特徴とする請求項７に記載のユーザ端末の無線リソースを用いるフレーム送信方法。
【請求項９】
複数の外部データフレームと複数の外部コントロールフレームを前記予め割り当てられた前記複数のデータ無線リソースおよび前記共用コントロール無線リソースを用いてそれぞれ受信すること、をさらに含むことを特徴とする請求項７に記載のユーザ端末の無線リソースを用いるフレーム送信方法。
【請求項１０】
ユーザ端末の無線リソースを用いるフレーム受信方法において、
前記ユーザ端末において、複数のデータフレームを対応する複数のデータ無線リソースを用いて受信し、
複数のコントロールフレームを１つの共用コントロール無線リソースを用いて受信し、
前記受信した前記複数のデータフレームと前記複数のコントロールフレームの圧縮を伸長し、
前記伸長した前記複数のデータフレームと前記複数のコントロールフレームを多重化して該当のアプリケーションに提供すること、
を含むことを特徴とするユーザ端末の無線リソースを用いるフレーム受信方法。
【請求項１１】
基地局の無線リソースを用いるフレーム送信方法において、
前記基地局において、ユーザ端末から無線リソースの割り当て要請を受信し、
前記要請に応じて、データフレームのためのデータ無線リソースおよびコントロールフレームのためのコントロール無線リソースを割り当て、
前記割り当てた前記データ無線リソースと前記コントロール無線リソースを前記ユーザ端末に送信すること、
を含むことを特徴とする基地局の無線リソースを用いるフレーム送信方法。
【請求項１２】
前記割り当てた前記データ無線リソースと前記コントロール無線リソースを用いて前記データフレームと前記コントロールフレームを前記基地局においてそれぞれ受信すること、をさらに含むことを特徴とする請求項１１に記載の基地局の無線リソースを用いるフレーム送信方法。
【請求項１３】
前記割り当てられた前記データ無線リソースと前記コントロール無線リソースを用いて、外部データフレームと外部コントロールフレームをそれぞれ送信すること、をさらに含むことを特徴とする請求項１１に記載の基地局の無線リソースを用いるフレーム送信方法。
【請求項１４】
基地局の無線リソースを用いるフレーム送信方法において、
前記基地局において、ユーザ端末から複数のアプリケーションに対する無線リソースの割り当て要請を受信し、
前記要請に応じて、複数のデータフレームのための複数のデータ無線リソースおよび複数のコントロールフレームのための１つの共用コントロール無線リソースを割り当て、
前記割り当てた前記複数のデータ無線リソースと前記共用コントロール無線リソースを前記ユーザ端末に送信すること、
を含むことを特徴とする基地局の無線リソースを用いるフレーム送信方法。
【請求項１５】
前記割り当てた前記複数のデータ無線リソースと前記共用コントロール無線リソースを用いて、複数の外部データフレームと複数の外部コントロールフレームをそれぞれ送信すること、をさらに含むことを特徴とする請求項１４に記載の基地局の無線リソースを用いるフレーム送信方法。
【請求項１６】
フレーム送信のためのユーザ端末において、
前記ユーザ端末においてアプリケーションが生成されれば、無線リソースの割り当てを要請する第１階層管理部と、
前記要請に応じて、データフレームのためのデータ無線リソースおよびコントロールフレームのためのコントロール無線リソースが割り当てられ、前記割り当てられた前記データ無線リソースおよび前記割り当てられたコントロール無線リソースを用いて前記データフレームと前記コントロールフレームをそれぞれ送信する第２階層管理部と、
を含むことを特徴とするフレーム送信のためのユーザ端末。
【請求項１７】
フレーム送信のためのユーザ端末において、
前記ユーザ端末において複数のアプリケーションが生成されれば、無線リソースの割り当てを要請する複数の第１階層管理部と、
前記要請に応じて、複数のデータフレームのための複数のデータ無線リソースおよび複数のコントロールフレームのための１つの共用コントロール無線リソースが割り当てられ、前記複数のデータフレームは前記複数のデータ無線リソースを用いてそれぞれ送信し、前記複数のコントロールフレームは前記共用コントロール無線リソースを用いて送信する第２階層管理部と、
を含むことを特徴とするフレーム送信のためのユーザ端末。
【請求項１８】
フレーム受信のためのユーザ端末において、
複数のデータフレームを対応する複数のデータ無線リソースを用いて受信し、複数のコントロールフレームを１つの共用コントロール無線リソースを用いて受信する階層管理部と、
前記受信された前記複数のデータフレームと前記複数のコントロールフレームの圧縮を伸長する圧縮伸長部と、
前記伸長された前記複数のデータフレームと前記複数のコントロールフレームを多重化して該当のアプリケーションに提供するマルチプレクサと、
を含むことを特徴とするフレーム受信のためのユーザ端末。
【請求項１９】
アプリケーションを管理するユーザ端末と、
前記ユーザ端末に無線リソースを割り当てる基地局と、を含み、
前記ユーザ端末は、
前記ユーザ端末においてアプリケーションが生成されれば、無線リソースの割り当てを要請する第１階層管理部と、
前記要請に応じて、前記基地局からデータフレームのためのデータ無線リソースおよびコントロールフレームのためのコントロール無線リソースを受信する第２階層管理部と、
を含むことを特徴とするフレーム送受信のためのシステム。
【請求項２０】
複数のアプリケーションを管理するユーザ端末と、
前記ユーザ端末に無線リソースを割り当てる基地局と、を含み、
前記ユーザ端末は、
前記ユーザ端末において複数のアプリケーションが生成されれば、それぞれ無線リソースの割り当てを要請する複数の第１階層管理部と、
前記要請に応じて、前記基地局から複数のデータフレームのための複数のデータ無線リソースおよび複数のコントロールフレームのための１つの共用コントロール無線リソースを受信する第２階層管理部と、
を含むことを特徴とするフレーム送受信のためのシステム。
【発明の詳細な説明】
【技術分野】
【０００１】
本発明はユーザ端末およびその無線リソースを用いるフレーム送受信方法、並びに基地局の無線リソースを用いるフレーム送信方法に関する。
【背景技術】
【０００２】
ＦＴＰ（Ｆｉｌｅ−Ｔｒａｎｓｆｅｒ  Ｐｒｏｔｏｃｏｌ）のようなパケットプロトコルを用いてアップロードとダウンロードを同時に行う場合、アップロードするためのデータフレームとダウンロードするためのコントロールフレームの送信時に、トラフィック混雑（ｔｒａｆｆｉｃ  ｃｏｎｇｅｓｔｉｏｎ）が無線インタフェースのバックフロント（ｂａｃｋ−ｆｒｏｎｔ）で発生する。これより、データレートの減少およびデータ送信の完了時点が判断できなくなる。
【０００３】
このような問題を解決するために、割り当てられた無線リソースにソフトウェア的なアルゴリズムを追加してもよいが、この方法も上述した性能を正確に予測することが困難である。
【発明の概要】
【発明が解決しようとする課題】
【０００４】
上記のような問題を解決するための本発明の実施形態の目的は、データフレームとコントロールフレームのトラフィックが互いに影響を与えないことによって、ユーザにＱｏＳ（Ｑｕａｌｉｔｙ  ｏｆ  Ｓｕｒｖｉｃｅ）を安定的に支援することのできるユーザ端末およびその無線リソースを用いるフレーム送受信方法、並びに基地局の無線リソースを用いるフレーム送信方法を提供することにある。
【課題を解決するための手段】
【０００５】
本発明の一実施形態に係るユーザ端末の無線リソースを用いるフレーム送信方法は、前記ユーザ端末において、アプリケーションが生成されれば、無線リソースの割り当てを要請し、前記要請に応じて、データフレームのためのデータ無線リソースおよびコントロールフレームのためのコントロール無線リソースを割り当てること、を含んでもよい。
【０００６】
また、本発明の一実施形態に係るユーザ端末の無線リソースを用いるフレーム送信方法は、前記ユーザ端末において、複数のアプリケーションが生成されれば、無線リソースの割り当てを要請し、前記要請に応じて、複数のデータフレームのための複数のデータ無線リソースおよび複数のコントロールフレームのための１つの共用コントロール無線リソースを割り当て、前記複数のデータフレームは、前記複数のデータ無線リソースを用いてそれぞれ送信し、前記複数のコントロールフレームは前記共用コントロール無線リソースを用いて送信すること、を含んでもよい。
【０００７】
また、本発明の一実施形態に係るユーザ端末の無線リソースを用いるフレーム受信方法は、前記ユーザ端末において、複数のデータフレームを対応する複数のデータ無線リソースを用いて受信し、複数のコントロールフレームを１つの共用コントロール無線リソースを用いて受信し、前記受信した前記複数のデータフレームと前記複数のコントロールフレームの圧縮を伸長し、前記伸長した前記複数のデータフレームと前記複数のコントロールフレームを多重化して該当のアプリケーションに提供すること、を含んでもよい。
【０００８】
また、本発明の一実施形態に係る基地局の無線リソースを用いるフレーム送信方法は、前記基地局において、ユーザ端末から無線リソースの割り当ての要請を受信し、前記要請に応じて、データフレームのためのデータ無線リソースおよびコントロールフレームのためのコントロール無線リソースを割り当て、前記割り当てたデータ無線リソースとコントロール無線リソースを前記ユーザ端末に送信すること、を含んでもよい。
【０００９】
また、本発明の一実施形態に係る基地局の無線リソースを用いるフレーム送信方法は、前記基地局において、ユーザ端末から複数のアプリケーションに対する無線リソースの割り当ての要請を受信し、前記要請に応じて、複数のデータフレームのための複数のデータ無線リソースおよび複数のコントロールフレームのための１つの共用コントロール無線リソースを割り当て、前記割り当てた前記複数のデータ無線リソースと前記共用コントロール無線リソースを前記ユーザ端末に送信すること、を含んでもよい。
【００１０】
また、本発明の一実施形態に係るフレーム送信のためのユーザ端末は、前記ユーザ端末においてアプリケーションが生成されれば、無線リソースの割り当てを要請する第１階層管理部と、前記要請に応じて、データフレームのためのデータ無線リソーおよびコントロールフレームのためのコントロール無線リソースが割り当てられ、前記割り当てられた前記データ無線リソースおよび前記割り当てられたコントロール無線リソースを用いて前記データフレームと前記コントロールフレームをそれぞれ送信する第２階層管理部と、を含んでもよい。
【００１１】
また、本発明の一実施形態に係るフレーム送信のためのユーザ端末は、前記ユーザ端末において複数のアプリケーションが生成されれば、無線リソースの割り当てを要請する複数の第１階層管理部と、前記要請に応じて、複数のデータフレームのための複数のデータ無線リソースおよび複数のコントロールフレームのための１つの共用コントロール無線リソースが割り当てられ、前記複数のデータフレームは前記複数のデータ無線リソースを用いてそれぞれ送信し、前記複数のコントロールフレームは前記共用コントロール無線リソースを用いて送信する第２階層管理部と、を含んでもよい。
【００１２】
また、本発明の一実施形態に係るフレーム受信のためのユーザ端末は、複数のデータフレームを対応する複数のデータ無線リソースを用いて受信し、複数のコントロールフレームを１つの共用コントロール無線リソースを用いて受信する階層管理部と、前記受信された前記複数のデータフレームと前記複数のコントロールフレームの圧縮を伸長する圧縮伸長部と、前記伸長された前記複数のデータフレームと前記複数のコントロールフレームを多重化して該当のアプリケーションに提供するマルチプレクサと、を含んでもよい。
【００１３】
また、本発明の一実施形態に係るフレーム送受信のためのシステムは、アプリケーションを管理するユーザ端末と、前記ユーザ端末に無線リソースを割り当てる基地局と、を含み、前記ユーザ端末は、前記ユーザ端末においてアプリケーションが生成されれば、無線リソースの割り当てを要請する第１階層管理部と、前記要請に応じて、前記基地局からデータフレームのためのデータ無線リソースおよびコントロールフレームのためのコントロール無線リソースを受信する第２階層管理部と、を含んでもよい。
【００１４】
また、本発明の一実施形態に係るフレーム送受信のためのシステムは、複数のアプリケーションを管理するユーザ端末と、前記ユーザ端末に無線リソースを割り当てる基地局と、を含み、前記ユーザ端末は、前記ユーザ端末において複数のアプリケーションが生成されれば、それぞれ無線リソースの割り当てを要請する複数の第１階層管理部と、前記要請に応じて、前記基地局から複数のデータフレームのための複数のデータ無線リソースおよび複数のコントロールフレームのための１つの共用コントロール無線リソースを受信する第２階層管理部と、を含んでもよい。
【発明の効果】
【００１５】
本発明の実施形態によれば、データフレームの送受信がコントロールフレームの遅延によって遅延しないことによって、ユーザに一貫して向上するＱｏＳを提供することができる。また、本発明の実施形態によれば、データフレームとコントロールフレームをそれぞれの無線リソースを用いて送受信することによって、送受信速度が向上し、複数のユーザへ迅速に通信サービスを提供することができる。
【図面の簡単な説明】
【００１６】
【図１】本発明の一実施形態に係る送信レイヤの無線リソースの割り当てのためのユーザ端末および基地局を示す図である。
【図２】図１のユーザ端末または基地局を示すブロック図である。
【図３】本発明の第２の実施形態に係る送信レイヤの無線リソースを割り当てるためのユーザ端末および基地局を示す図である。
【図４】本発明の第３の実施形態に係る送信レイヤの無線リソースを割り当てるためのユーザ端末および基地局を示す図である。
【図５】図４のユーザ端末または基地局を示すブロック図である。
【図６】本発明の一実施形態に係るコントロールフレームとデータフレームを識別するための情報を示す図である。
【図７】本発明の一実施形態に係る無線リソースを用いてフレームを受信するユーザ端末を示すブロック図である。
【図８】本発明の第１の実施形態に係るユーザ端末の無線リソースを用いるフレーム送信方法を説明するためのフローチャートである。
【図９】本発明の第２の実施形態に係るユーザ端末の無線リソースを用いるフレーム送信方法を説明するためのフローチャートである。
【図１０】本発明の第３の実施形態に係るユーザ端末の無線リソースを用いるフレーム受信方法を説明するためのフローチャートである。
【図１１】本発明の第１の実施形態に係る基地局の無線リソースを用いるフレーム送信方法を説明するためのフローチャートである。
【図１２】本発明の第２の実施形態に係る基地局の無線リソースを用いるフレーム送信方法を説明するためのフローチャートである。
【図１３】本発明の第３の実施形態に係る基地局の無線リソースを用いるフレーム送信方法を説明するためのフローチャートである。
【発明を実施するための形態】
【００１７】
以下、添付された図面を参照して本発明の実施形態を説明する。本発明を説明するにあたり、関連する公知な機能または構成に対する具体的な説明が本発明の要旨を曖昧にすると判断される場合にはその詳細な説明を省略する。また、本明細書で用いられる用語（ｔｅｒｍｉｎｏｌｏｇｙ）は本発明の好適な実施形態を適切に表現するために用いられる用語であって、この用語はユーザ、運用者の意図、または本発明が属する分野の慣例などによって異なってもよい。したがって、本用語に対する定義は本明細書の全般にわたる内容に基づいて下されなければならない。
【００１８】
図１は、本発明の一実施形態に係る送信レイヤの無線リソースを割り当てるためのユーザ端末および基地局を示す図である。
【００１９】
ユーザ端末（ＵＥ：Ｕｓｅｒ  Ｅｑｕｉｐｍｅｎｔ）は、ラップトップ、携帯電話機、スマートフォンのようなモバイル機器またはコンピュータのような機器であり、基地局ＢＳはユーザ端末ＵＥとネットワークサーバとの間で通信するための機器である。ユーザ端末ＵＥと基地局ＢＳは、ＴＣＰ（Ｔｒａｎｓｍｉｓｓｉｏｎ  Ｃｏｎｔｒｏｌ  Ｐｒｏｔｏｃｏｌ）のようなパケットプロトコルを用いてユーザデータを双方向に送信する。また、基地局ＢＳは、例えば、マクロセル（ｍａｃｒｏ  ｃｅｌｌ）に設けられるマクロ基地局またはスモールセル（ｓｍａｌｌ  ｃｅｌｌ）に設けられる小型基地局であってもよい。小型セルは、例えば、フェムトセル、ピコセル、ホームノードＢ（ｈｏｍｅ  ｎｏｄｅ  Ｂ：ホーム無線基地局）、ホームＥｎＢ（ｈｏｍｅ  ＥｎＢ：ホーム無線基地局）などが含まれる。
【００２０】
パケットプロトコルは、データフレームとコントロールフレームが含まれる。本発明の実施形態では、送信するデータフレームとコントロールフレームにそれぞれ別の無線リソースを割り当てる。無線リソースは、例えば、無線ベアラ（Ｒａｄｉｏ  Ｂｅａｒｅｒ：ＲＢ）が含まれる。図１に示すように、データフレームの送信のためには無線リソースとしてＲＢＤ、コントロールフレームの送信のためにはＲＢＣが割り当てられている。したがって、ユーザ端末ＵＥと基地局ＢＳは、ＲＢＤとＲＢＣを用いてデータフレームＦＤとコントロールフレームＦＣをそれぞれ送受信してもよい。これによって、一つの無線資源を介して互いに異なる種類のフレーム送信時に発生し得る混雑を防止することができ、送信時および受信時の速度低下を防止でき、送受信の所用時間をより正確に予測することができる。
【００２１】
以下では、説明の便宜のためにパケットプロトコル、ＴＣＰプロトコル、送信プロトコル、ＰＤＰコンテキスト(Ｐａｃｋｅｔ  Ｄａｔａ  Ｐｒｏｔｏｃｏｌ  ｃｏｎｔｅｘｔ)、アプリケーションデータなどを共に用いてもよく、場合に応じて同一の意味に解釈されてもよい。
【００２２】
図２は、図１のユーザ端末または基地局を示すブロック図である。
【００２３】
図２に示すブロック図がユーザ端末ＵＥである場合、アプリケーション部２１０は、ユーザの要請に応じてアプリケーションデータを生成してもよい。
【００２４】
１つのアプリケーションが起動されてアプリケーションデータが生成されると、１つのＰＤＰコンテキスト（ＰＤＰ  ｃｏｎｔｅｘｔ）を起動して、第１階層管理部２２０は基地局ＢＳに無線リソースの割り当てを要請してもよい。基地局ＢＳは、ユーザ端末ＵＥの要請に応じて１つのＰＤＰコンテキスト毎に２つの無線リソースを割り当ててもよい。これは、１つのＰＤＰコンテキスト（すなわち、アプリケーションデータ）またはパケットプロトコルは、データフレームＦＤとコントロールフレームＦＣに分類され、データフレームＦＤとコントロールフレームＦＣは、異なる無線リソースを用いてそれぞれ送信される。
【００２５】
また、第１階層管理部２２０は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のようなパケットプロトコルを用いて送受信を管理し、パケットプロトコルの送信レイヤをデータフレームＦＤとコントロールフレームＦＣに分類してもよい。例えば、第１階層管理部２２０は、ＴＣＰ／ＩＰレイヤを管理するＴＣＰ／ＩＰモジュールであってもよい。このために第１階層管理部２２０は、フローコントローラ（Ｆｌｏｗ  Ｃｏｎｔｒｏｌｌｅｒ）２２１およびデマルチプレクサ(Ｄｅｍｕｌｔｉｐｌｅｘｅｒ)２２３を備えてもよい。
【００２６】
フローコントローラ２２１は、下位階層（ｌｏｗｅｒ  ｌａｙｅｒ）のフィードバックを活用して動作してもよい。したがって、本発明の実施形態において、フローコントローラ２２１は、フローコントロール状態情報（ＦＣＩ：Ｆｌｏｗ  Ｃｏｎｔｒｏｌ  Ｓｔａｔｕｓ  Ｉｎｆｏｒｍａｔｉｏｎ）を確認して、データフレームＦＤまたはコントロールフレームＦＣを送信可能か否かを確認してもよい。
【００２７】
フローコントローラ２２１は、各フレームタイプ別にフローコントロールを行うために第２階層管理部２３０からフィードバックされるデータフレームＦＤ、及びコントロールフレームＦＣのフローコントロール状態をフローコントロール状態情報ＦＣＩＤ、ＦＣＩＣから確認する。このとき、フローコントローラ２２１は、各フレームタイプに対してフローコントロールが「ｅｎａｂｌｅ」と設定されていれば、フローコントロール状態を確認する。したがって、各フレームがランダムに送信されることを防止することができる。
【００２８】
各フレームをタイプ別に送信するためのフローコントロール状態が有効であれば、送信可能であると判断され、フローコントローラ２２１は該当のフレームを物理的リソースを用いてデマルチプレクサ２２３を介して送信してもよい。
【００２９】
該当フレームが送信可能であると確認されれば、デマルチプレクサ２２３は、アプリケーション部２１０から入力されるデータを送信するためにパケットプロトコルをデータフレームＦＤとコントロールフレームＦＣに分類、すなわち、逆多重化(Ｄｅｍｕｌｔｉｐｌｅｘ)してもよい。デマルチプレクサ２２３は、パケットプロトコルのフレームタイプをヘッダ情報により確認してデータフレームＦＤとコントロールフレームＦＣに分類してもよい。ＴＣＰ／ＩＰレイヤのデマルチプレクサ２２３は、後述する図６において指定されるタイプのフレームをコントロールフレームＦＣとして判断してもよい。
【００３０】
フローコントローラ２２１は、デマルチプレクサ２２３で分類されたデータフレームＦＤとコントロールフレームＦＣを第２階層管理部２３０に出力してもよい。
【００３１】
第２階層管理部２３０は、第１階層管理部２２０の要請に応じてデータフレームＦＤのためのデータ無線リソースＲＢＤおよびコントロールフレームＦＣのためのコントロール無線リソースＲＢＣを割り当てる。第２階層管理部２３０は、例えば、ネットワークへのデータ送受信を管理するＲＬＣ（Ｒａｄｉｏ  Ｌｉｎｋ  Ｃｏｎｔｒｏｌ）モジュールとしてもよい。データ無線リソースＲＢＤとコントロール無線リソースＲＢＣは、基地局ＢＳにより割り当てられてユーザ端末ＵＥに送信されてもよい。無線リソースは、無線リンクレイヤ（Ｒａｄｉｏ  Ｌｉｎｋ  Ｌａｙｅｒ）で用いられ、ＳＤＵ（Ｓｅｒｖｉｃｅ  Ｄａｔａ  Ｕｎｉｔｓ）のデータフレームＦＤとコントロールフレームＦＣをＰＤＵ（Ｐｒｏｔｏｃｏｌ  Ｄａｔａ  Ｕｎｉｔ）に分割して該当の基地局ＢＳに送信してもよい。
【００３２】
第２階層管理部２３０は、データ無線リソースＲＢＤとコントロール無線リソースＲＢＣが割り当てられれば、第１階層管理部２２０から入力されるデータフレームＦＤとコントロールフレームＦＣをそれぞれデータ無線リソースＲＢＤとコントロール無線リソースＲＢＣを用いて基地局ＢＳに送信してもよい。
【００３３】
上述したように、各フレームをタイプ別に送信可能か否かを確認した後、各フレーム別の無線リソースが割り当てられて送受信することによって、データフレームＦＤとコントロールフレームＦＣのトラフィックが互いに影響を受けることなく、該当のリンクレイヤに該当フレームを送信することができ、結果的にデータフレームＦＤのＱｏＳの満足度を高めることができる。
【００３４】
基地局ＢＳは、予め割り当てられたデータ無線リソースＲＢＤとコントロール無線リソースＲＢＣを用いてユーザ端末ＵＥからデータフレームＦＤとコントロールフレームＦＣを受信し、該当するＰＤＰ  ＳＡＰ（Ｐａｃｋｅｔ  Ｄａｔａ  Ｐｒｏｔｏｃｏｌ  Ｓｅｒｖｉｃｅ  Ａｃｃｅｓｓ  Ｐｏｉｎｔ）に送信することによってサーバ（図示せず）へ送信されるようにする。ＳＡＰは、階層間で上位の応用プログラムとメッセージを交換するためにサービス別に定義したアクセスポイントであって、例えば、ポートであってもよい。
【００３５】
一方、図２に示すブロック図が基地局ＢＳである場合、基地局ＢＳはサーバ（図示せず）のような外部機器からパケットプロトコルを用いてフレームを受信してもよい。基地局ＢＳのデマルチプレクサ２２３は、受信したフレームをフレームのタイプに応じて、逆多重化して外部データフレームと外部コントロールフレームに分類してもよい。第２階層管理部２３０は、ユーザ端末ＵＥに予め割り当てたデータ無線リソースＲＢＤとコントロール無線リソースＲＢＣを用いて、外部データフレームと外部コントロールフレームをユーザ端末ＵＥに送信してもよい。ユーザ端末ＵＥは、基地局ＢＳから受信した外部データフレームと外部コントロールフレームを該当のＰＤＰコンテキストに対応するＳＡＰに送信する。
【００３６】
図３は、本発明の第２の実施形態に係る送信レイヤの無線リソースを割り当てるためのユーザ端末および基地局を示す図である。
【００３７】
図３に示すように、ユーザ端末ＵＥにおいて複数のアプリケーションが生成される場合、複数のＰＤＰコンテキストが起動されてもよい。ユーザ端末ＵＥは、基地局ＢＳに生成されたＰＤＰコンテキストの数と共に無線リソースの割り当てを要請してもよい。基地局ＢＳは、アプリケーション別にデータフレームのためのデータ無線リソースＲＢＤ１、ＲＢＤ２とコントロールフレームのためのコントロール無線リソースＲＢＣ１、ＲＢＣ２を１つずつ割り当てる。
【００３８】
したがって、第１アプリケーションまたは第１ＰＤＰコンテキストに対応する第１データフレームＦＤ１と第１コントロールフレームＦＣ１はそれぞれ第１データ無線リソースＲＢＤ１と第１コントロール無線リソースＲＢＣ１を用いて送信され、第２アプリケーションまたは第２ＰＤＰコンテキストに対応する第２データフレームＦＤ２と第２コントロールフレームＦＣ２はそれぞれ第２データ無線リソースＲＢＤ２と第２コントロール無線リソースＲＢＣ２を用いて送信されてもよい。具体的には、第１および第２コントロール無線リソースＲＢＣ１、ＲＢＣ２は、全てパケットプロトコルのコントロールフレームの送信のために用いられる。コントロールフレームは、ＴＣＰのような送信プロトコルで定義されるフレームであってもよい。
【００３９】
図４は、本発明の第３の実施形態に係る送信レイヤの無線リソースを割り当てるためのユーザ端末および基地局を示す図である。
【００４０】
図４に対応する実施形態は、コントロールフレームのために共用無線リソースを用いる場合であって、各ＰＤＰコンテキストのコントロールフレームは共用無線リソースを用いてサービスデータ単位ＳＤＵで送信されてもよい。基地局ＢＳは、各コントロールフレームを受信して該当ＰＤＰ  ＳＡＰに送信する。
【００４１】
具体的には、複数のＰＤＰコンテキストがユーザ端末ＵＥにおいて起動される場合、すなわち、複数のアプリケーションが起動されて複数のＰＤＰコンテキストが生成される場合、基地局ＢＳは、各ＰＤＰコンテキストの各データフレームに別のデータ無線リソースＲＢＤ１、ＲＢＤ２を割り当て、各コントロールフレームには同一の１つの共用コントロール無線リソースＲＢＣを割り当ててもよい。すなわち、互いに異なるアプリケーションデータのコントロールフレームは、同一の共用コントロール無線リソースＲＢＣを用いてユーザ端末ＵＥから基地局ＢＳに、または基地局ＢＳからユーザ端末ＵＥに送信されてもよい。
【００４２】
図５は、図４のユーザ端末または基地局を示すブロック図である。
【００４３】
図５に示すブロック図がユーザ端末ＵＥである場合、第１アプリケーション部５１０は、ユーザの要請に応じて第１アプリケーションデータを生成し、第２アプリケーション部５２０は第２アプリケーションデータを生成してもよい。
【００４４】
第１および第２アプリケーション部５１０、５２０が起動されて２つのＰＤＰコンテキストが起動されると、第１階層管理部５４０は基地局ＢＳに無線リソースの割り当てを要請してもよい。１つのＰＤＰコンテキストは第１データフレームＦＤ１と第１コントロールフレームＦＣ１を含み、他のＰＤＰコンテキストは第２データフレームＦＤ２と第２コントロールフレームＦＣ２を含む。したがって、基地局ＢＳは、第１データフレームＦＤ１を送信するための第１データ無線リソースＲＢＤ１を割り当て、第２データフレームＦＤ２を送信するための第２データ無線リソースＲＢＤ２を割り当て、また第１および第２コントロールフレームＦＣ１、ＦＣ２を送信するための共用コントロール無線リソースＲＢＣを割り当ててもよい。
【００４５】
また、送信階層管理部５３０は、ＴＣＰ／ＩＰのようなパケットプロトコルを用いて送受信を管理し、パケットプロトコル（すなわち、アプリケーションデータ）のヘッダ情報を確認してデータフレームとコントロールフレームに分類してもよい。送信階層管理部５３０は、分類したデータフレームとコントロールフレームを該当するデータ無線リソースと共用コントロール無線リソースＲＢＣを用いて送信してもよい。
【００４６】
物理的または論理的に、送信階層管理部５３０は、ユーザ端末ＵＥに１つ設けられるか、または図５に示すようにアプリケーション部２１０毎に設けられてもよい。図５に示す第１階層管理部５４０および第２階層管理部５５０は、図２を参照して説明した第１階層管理部２２０と同一であるため詳細な説明は省略する。
【００４７】
ただし、第１フローコントローラ５４１は、第３階層管理部５６０からフィードバックされるフロー状態情報ＦＣＩＤ１、ＦＣＩＣ１から第１データフレームＦＤ１、第１コントロールフレームＦＣ１のフローコントロール状態を確認し、第１データフレームＦＤ１及び／またはコントロールフレームＦＣ１が送信可能か否かを確認してもよい。
【００４８】
送信可能であると確認されれば、第１デマルチプレクサ５４３は、第１アプリケーション部５１０から入力されるパケットプロトコル（例えば、ＴＣＰプロトコル）を第１データフレームＦＤ１と第１コントロールフレームＦＣ１に逆多重化して分類する。
【００４９】
第２フローコントローラ５５１は、第３階層管理部５６０からフィードバックされるフローコントロール状態情報ＦＣＩＤ２、ＦＣＩＣ２から第２データフレームＦＤ２、及び第２コントロールフレームＦＣ２の各フローコントロール状態を確認し、第２データフレームＦＤ２及び／または第２コントロールフレームＦＣ２が送信可能か否かを確認する。
【００５０】
第２データフレームＦＤ２及び／または第２コントロールフレームＦＣ２が送信可能であると確認されれば、第２デマルチプレクサ５５３は、第２アプリケーション部５２０から入力されるパケットプロトコル（例えば、ＴＣＰプロトコル）を第２データフレームＦＤ２と第２コントロールフレームＦＣ２に逆多重化して分類する。
【００５１】
第１フローコントローラ５４１及び第２フローコントローラ５５１は、第１デマルチプレクサ５４３及び第２デマルチプレクサ５５３により分類された第１、第２データフレームＦＤ１、ＦＤ２と第１、第２コントロールフレームＦＣ１、ＦＣ２を第２階層管理部２３０に出力してもよい。
【００５２】
第３階層管理部５６０は、入力される第１データフレームＦＤ１を第１データフレームＦＤ１の送信のための第１データ無線リソースＲＢＤ１を用いて基地局ＢＳに送信し、第２データフレームＦＤ２を第２データフレームＦＤ２の送信のために予め割り当てられた第２データ無線リソースＲＢＤ２を用いて基地局ＢＳに送信する。また、第３階層管理部５６０は、第１コントロールフレームＦＣ１および第２コントロールフレームＦＣ２を予め割り当てられた共用コントロール無線リソースＲＢＣを用いて基地局ＢＳに送信する。第３階層管理部５６０は、無線リソースによりデータの送受信を支援する１つのＲＬＣモジュールまたは複数のＲＬＣモジュールを含んでもよい。
【００５３】
基地局ＢＳは、第１および第２データ無線リソースＲＢＤ１、ＲＢＤ２を用いてユーザ端末ＵＥから受信される第１および第２データフレームＦＤ１、ＦＤ２を対応するＰＤＰ  ＳＡＰに送信する。また、基地局ＢＳは、共用コントロール無線リソースＲＢＣを用いて受信した第１および第２コントロールフレームＦＣ１、ＦＣ２のパケットデータユニットＰＤＵを集めてサービスデータユニットＳＤＵを生成し、生成したＳＤＵを対応するＰＤＰ  ＳＡＰに送信する。
【００５４】
ユーザ端末ＵＥまたは基地局ＢＳは、次の２つの方式のいずれか１つを用いて対応するＰＤＰ  ＳＡＰを分類してもよい。第１に、受信側（例えば、基地局）はデータフレームに含まれたデータフレームを送信した送信側（例えば、ユーザ端末）の識別情報（例えば、ＩＰアドレス）を確認し、確認されたＩＰアドレスに対応するＰＤＰ  ＳＡＰにＳＤＵを送信してもよい。
【００５５】
第２に、送信側（例えば、ユーザ端末）がデータフレームの無線リソース情報（例えば、ＲＢ情報）をＰＤＵに含ませて受信側（例えば、基地局）に送信することによって、受信側（例えば、基地局）はＰＤＵに含まれた無線リソース情報を用いてＳＤＵを分類してもよい。また、基地局ＢＳは分類されたＳＤＵに対応するＰＤＰ  ＳＡＰにＳＤＵを送信してもよい。
【００５６】
一方、図５に示すブロック図が基地局ＢＳである場合、図５に示す基地局ＢＳは図２を参照して説明した基地局ＢＳと同一である。すなわち、基地局ＢＳは、サーバ（図示せず）から受信するパケットプロトコルをフレームのタイプに応じて逆多重化して外部データフレームと外部コントロールフレームに分類してもよい。また、基地局ＢＳは、ユーザ端末ＵＥに予め割り当てたデータ無線リソースＲＢＤとコントロール無線リソースＲＢＣを用いて外部データフレームと外部コントロールフレームをユーザ端末ＵＥに送信してもよい。ユーザ端末ＵＥは、基地局ＢＳから受信した外部データフレームと外部コントロールフレームを該当のＰＤＰコンテキストに対応するＳＡＰに送信してもよい。
【００５７】
図６は、本発明の一実施形態に係るコントロールフレームとデータフレームを識別するための情報を示す図である。ＴＣＰ／ＩＰレイヤでデマルチプレクサ２２３、第１デマルチプレクサ５４３、または第２デマルチプレクサ５５３は、同図に示すように設定されたタイプのフレームをコントロールフレームに分類してもよい。図６に示すフレームを分類するために必要な情報は、ＩＥＴＦ(Ｉｎｔｅｒｎｅｔ  Ｅｎｇｉｎｅｅｒｉｎｇ  Ｔａｓｋ  Ｆｏｒｃｅ)により発行されたＲＦＣ（Ｒｅｑｕｅｓｔｓ  ｆｏｒ  Ｃｏｍｍｅｎｔｓ）文書に定義されたフレームフォーマットを用いてもよく、例えば、以下に示すＲＦＣ１１８０を用いてもよい。図６において、コントロールフレームを分類するために用いられる制御ビット(ｃｏｎｔｒｏｌ  ｂｉｔ)は最大６ビットとして表示されてもよい。コントロールフレームの種類は、ＵＲＧ（Ｕｒｇｅｎｔ  Ｐｏｉｎｔｅｒ  ｆｉｅｌｄ  ｓｉｇｎｉｆｉｃａｎｔ）フレーム、ＡＣＫ（Ａｃｋｎｏｗｌｅｄｇｍｅｎｔ  ｆｉｅｌｄ  ｓｉｇｎｉｆｉｃａｎｔ）フレーム、ＰＳＨ（Ｐｕｓｈ  Ｆｕｎｃｔｉｏｎ）フレーム、ＲＳＴ（Ｒｅｓｅｔ  ｔｈｅ  ｃｏｎｎｅｃｔｉｏｎ）フレーム、ＳＹＮ（Ｓｙｎｃｈｒｏｎｉｚｅ  ｓｅｑｕｅｎｃｅ  ｎｕｍｂｅｒｓ）フレームおよびＦＩＮ（Ｎｏ  ｍｏｒｅ  ｄａｔａ  ｆｒｏｍ  ｓｅｎｄｅｒ）フレームを含む。
【００５８】
図７は、本発明の一実施形態に係る無線リソースを用いてフレームを受信するユーザ端末を示すブロック図である。
【００５９】
互いに異なるＩＰアドレスを用いる第１および第２アプリケーション７５０、７６０を含むユーザ端末ＵＥが受信したフレームを逆多重化する場合について図７を参照して説明する。
【００６０】
第３階層管理部７１０は、複数のデータフレームを各データフレームに割り当てられた複数のデータ無線リソースを用いて受信し、複数のコントロールフレームを１つの共用コントロール無線リソースＲＢＣまたは複数のコントロール無線リソースを用いて受信してもよい。例えば、第３階層管理部７１０は、第１データフレームＦＤ１を第１データ無線リソースＲＢＤ１を用いて受信し、第２データフレームＦＤ２を第２データ無線リソースＲＢＤ２を用いて受信し、第１および第２コントロールフレームＦＣ１、ＦＣ２を共用コントロール無線リソースＲＢＣを用いて受信してもよい。
【００６１】
第３階層管理部７１０は、受信された第１および第２データフレームＦＤ１、ＦＤ２と第１および第２コントロールフレームＦＣ１、ＦＣ２をパケット圧縮管理部７２０に送信してもよい。このような第３階層管理部７１０は、無線リソースによってデータ送受信を支援する１つまたは複数のＲＬＣモジュールであってもよい。
【００６２】
パケット圧縮管理部７２０は、受信された複数のデータフレームＦＤ１、ＦＤ２と複数のコントロールフレームＦＣ１、ＦＣ２の圧縮を伸長してもよい。パケット圧縮管理部７２０は、例えば、インターネットプロトコルを圧縮したり、または受信したフレームの圧縮を伸長するＰＤＣＰ（Ｐａｃｋｅｔ  Ｄａｔａ  Ｃｏｎｖｅｒｇｅｎｃｅ  Ｐｒｏｔｏｃｏｌ）モジュールであってもよい。
【００６３】
マルチプレクサ７３０は、パケット圧縮管理部７２０から入力される伸長された複数のデータフレームＦＤ１、ＦＤ２と複数のコントロールフレームＦＣ１、ＦＣ２を多重化して送信階層管理部５３０に送信してもよい。送信階層管理部７４０は、例えば、ＴＣＰ／ＩＰによって送信を管理するモジュールであって、論理的に、第１アプリケーションのための第１階層管理部７４１および第２アプリケーションのための第２階層管理部７４３を備えてもよい。マルチプレクサ７３０は、各コントロールフレームＦＣ１、ＦＣ２のＩＰアドレスを確認して、多重化されたデータに対応するＳＡＰを用いて第１階層管理部７４１または第２階層管理部７４３に各コントロールフレームＦＣ１、ＦＣ２を送信してもよい。
【００６４】
第１階層管理部７４１は、マルチプレクサ７３０から送信される第１データフレームＦＤ１と第１コントロールフレームＦＣ１を対応する第１アプリケーション部７５０に提供し、第２階層管理部７４３は、マルチプレクサ７３０から送信される第２データフレームＦＤ２と第２コントロールフレームＦＣ２を対応する第２アプリケーション部７６０に提供してもよい。
【００６５】
図８は、本発明の第１の実施形態に係るユーザ端末の無線リソースを用いるフレーム送信方法を説明するためのフローチャートである。
【００６６】
図２および図８に示すように、ステップＳ８１０において、アプリケーション部２１０のアプリケーションが起動されてアプリケーションデータが生成されれば、第１階層管理部２２０は基地局ＢＳに無線リソースの割り当てを要請してもよい。
【００６７】
ステップＳ８２０において、基地局ＢＳは、ユーザ端末ＵＥの要請に応じて１つのアプリケーションに対してデータ無線リソースとコントロール無線リソースを割り当ててもよい。
【００６８】
ステップＳ８３０において、フローコントローラ２２１は、各フレームタイプ別のフローコントロールを行うために第２階層管理部２３０からフィードバックされる各フレームＦＤ、ＦＣのフローコントロール状態を確認し、データフレームＦＤまたはコントロールフレームＦＣが送信可能か否かを確認してもよい。
【００６９】
ステップＳ８４０において、データフレームＦＤ／またはコントロールフレームＦＣが送信可能であると確認されれば、ステップＳ８５０でデマルチプレクサ２２２は、アプリケーション部２１０から入力されるパケットプロトコルをデータフレームＦＤとコントロールフレームＦＣに分類するために逆多重化してもよい。
【００７０】
ステップＳ８６０およびステップＳ８７０において、第２階層管理部２３０は、ステップＳ８５０において分類されたデータフレームＦＤとコントロールフレームＦＣをそれぞれデータ無線リソースＲＢＤとコントロール無線リソースＲＢＣを用いて基地局ＢＳに送信してもよい。
【００７１】
図９は、本発明の第２の実施形態に係るユーザ端末の無線リソースを用いるフレーム送信方法を説明するためのフローチャートである。
【００７２】
図５および図９に示すように、ステップＳ９１０において、第１および第２アプリケーション部５１０、５２０のアプリケーションが起動されて複数のアプリケーションデータが生成されれば、送信階層管理部５３０は基地局ＢＳに無線リソースの割り当てを要請してもよい。
【００７３】
ステップＳ９２０において、基地局ＢＳは、ユーザ端末ＵＥの要請に応じて各アプリケーションに対してデータ無線リソースと１つの共用コントロール無線リソースを割り当ててもよい。
【００７４】
ステップＳ９３０において、送信階層管理部５３０は、各フレームタイプ別にフローコントロールを行うために第３階層管理部５６０からフィードバックされる各フレームＦＤ１、ＦＣ１、ＦＤ２、ＦＣ２のフローコントロール状態を確認し、各フレームＦＤ１、ＦＣ１、ＦＤ２、ＦＣ２が送信可能か否かを確認してもよい。
【００７５】
ステップＳ９４０において各フレームＦＤ１、ＦＣ１、ＦＤ２、ＦＣ２が送信可能であると確認されれば、ステップＳ９５０で送信階層管理部５３０は、第１および第２アプリケーション部５１０、５２０から入力されるパケットプロトコルをデータフレームＦＤ１、ＦＤ２とコントロールフレームＦＣ１、ＦＣ２に分類するために逆多重化してもよい。
【００７６】
ステップＳ９６０において、第３階層管理部５６０は、ステップＳ９５０にて分類されたデータフレームＦＤ１、ＦＤ２を互いに異なるデータ無線リソースＲＢＤ１、ＲＢＤ２を用いて基地局ＢＳに送信してもよい。
【００７７】
ステップＳ９７０において、第３階層管理部５６０は、ステップＳ９５０で分類されたコントロールフレームＦＣ１、ＦＣ２を１つの共用コントロール無線リソースＲＢＣを用いて同時に、または非同時に基地局ＢＳに送信してもよい。
【００７８】
図１０は、本発明の第３の実施形態に係るユーザ端末の無線リソースを用いるフレーム受信方法を説明するためのフローチャートである。
【００７９】
図７および図１０に示すように、ステップＳ１０１０において、第３階層管理部７１０は、複数のデータフレームＦＤ１、ＦＤ２を各データフレームに割り当てられた複数のデータ無線リソースＲＢＤ１、ＲＢＤ２を用いて受信し、ステップＳ１０２０において、複数のコントロールフレームＦＣ１、ＦＣ２を１つの共用コントロール無線リソースＲＢＣを用いて受信してもよい。
【００８０】
ステップＳ１０３０において、パケット圧縮管理部７２０は、受信された複数のデータフレームＦＤ１、ＦＤ２と複数のコントロールフレームＦＣ１、ＦＣ２の圧縮を伸長してもよい。
【００８１】
ステップＳ１０４０において、マルチプレクサ７３０は、ステップＳ１０３０で入力される伸長された複数のデータフレームＦＤ１、ＦＤ２と複数のコントロールフレームＦＣ１、ＦＣ２を多重化して該当のアプリケーションに送信してもよい。具体的に、マルチプレクサ７３０は、コントロールフレームＦＣ１、ＦＣ２またはデータフレームＦＤ１、ＦＤ２のＩＰアドレスを確認し、多重化されたデータに対応するＳＡＰを用いて第１階層管理部７４１または第２階層管理部７４３にコントロールフレームＦＣ１、ＦＣ２またはデータフレームＦＤ１、ＦＤ２の送信し、該当のアプリケーション部に送信するようにしてもよい。例えば、マルチプレクサ７３０は、データフレームＦＤ１とコントロールフレームＦＣ１は第１１アプリケーション部７５０に提供してもよい。
【００８２】
図１１は、本発明の第１の実施形態に係る基地局の無線リソースを用いるフレーム送信方法を説明するためのフローチャートである。
【００８３】
ステップＳ１１１０において、基地局ＢＳはユーザ端末ＵＥから無線リソースの割り当て要請を受信してもよい。
【００８４】
ステップＳ１１２０において、基地局ＢＳは、データフレームのためのデータ無線リソースとコントロールフレームのためのコントロール無線リソースをユーザ端末ＵＥに割り当てた後、ステップＳ１１３０においてデータフレームとコントロールフレームをユーザ端末ＵＥに送信してもよい。
【００８５】
ステップＳ１１４０において、所定時間が経過した後、基地局ＢＳは、ユーザ端末ＵＥから割り当てられたデータ無線リソースとコントロール無線リソースを介してデータフレームとコントロールフレームを受信してもよい。
【００８６】
ステップＳ１１５０において、基地局ＢＳは、受信されたデータフレームまたはコントロールフレームの識別情報、例えば、ＩＰアドレスを確認してもよい。
【００８７】
ステップＳ１１６０において、基地局ＢＳは、確認したＩＰアドレスに対応するＳＡＰにデータフレーム及び／またはコントロールフレームを送信することによって、該当のサーバ（図示せず）に送信されるようにする。
【００８８】
図１２は、本発明の第２の実施形態に係る基地局の無線リソースを用いるフレーム送信方法を説明するためのフローチャートである。
【００８９】
ステップＳ１２１０において、基地局ＢＳは、ユーザ端末ＵＥから複数のアプリケーションに対する無線リソースの割り当て要請を受信してもよい。
【００９０】
ステップＳ１２２０において、基地局ＢＳは、複数のデータフレームのため複数のデータ無線リソースと複数のコントロールフレームのための１つの共用コントロール無線リソースをユーザ端末ＵＥに割り当てた後、ステップＳ１２３０において複数のデータフレームと複数のコントロールフレームをユーザ端末ＵＥに送信してもよい。
【００９１】
ステップＳ１２４０において、基地局ＢＳは、ユーザ端末ＵＥから割り当てられたデータ無線リソースとコントロール無線リソースを介してデータフレームとコントロールフレームを受信してもよい。
【００９２】
ステップＳ１２５０において、基地局ＢＳは、受信したデータフレームまたはコントロールフレームの識別情報、例えば、ＩＰアドレスを確認してもよい。
【００９３】
ステップＳ１２６０において、基地局ＢＳは、確認したＩＰアドレスに対応するＳＡＰにデータフレームとコントロールフレームを送信することによって、該当のサーバ（図示せず）に送信されるようにする。
【００９４】
図１３は、本発明の第３の実施形態に係る基地局の無線リソースを用いるフレーム送信方法を説明するためのフローチャートである。
【００９５】
ステップＳ１３１０において、基地局ＢＳは、ユーザ端末ＵＥに予め割り当てられたデータ無線リソースを用いてサーバから送信される外部データフレームをユーザ端末ＵＥに送信してもよい。
【００９６】
ステップＳ１３２０において、基地局ＢＳは、ユーザ端末ＵＥに予め割り当てられたコントロール無線リソースを用いてサーバから送信される外部コントロールフレームをユーザ端末ＵＥに送信してもよい。
【００９７】
本発明に係る実施形態は、コンピュータにより実現される多様な動作を実行するためのプログラム命令を含むコンピュータ読取可能な記録媒体を含む。当該コンピュータ読取可能な媒体は、プログラム命令、データファイル、データ構造などを単独または組み合わせて含むこともできる。記録媒体及びプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー(登録商標)ディスクおよび磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。プログラム命令の例としては、コンパイラによって生成されるような機械語コードだけでなく、インタプリタなどを用いてコンピュータによって実行される高級言語コードを含む。上述のハードウェア装置は、本発明の動作を行うために１つ以上のソフトウェア階層で作動するように構成され、その逆も同様である。
【００９８】
上述したように、本発明は、たとえ限定された実施形態と図面によって説明したが、本発明は、上記の実施形態に限定されることなく、本発明が属する分野における通常の知識を有する者であれば、このような基材から多様な修正および変形が可能である。
【００９９】
したがって、本発明の範囲は説明された実施形態に限定されものではなく、後述する特許請求の範囲だけではなく、この特許請求の範囲と均等なものなどによって定められなければならない。
【符号の説明】
【０１００】
２１０…アプリケーション部、２２０…第１階層管理部、２２１…フローコントローラ、２２３…デマルチプレクサ、２３０…第２階層管理部、５１０，７５０…第１アプリケーション部、５２０，７６０…第２アプリケーション部、５３０，７４０…送信階層管理部、５４０，７４１…第１階層管理部、５５０，７４３…第２階層管理部、５６０，７１０…第３階層管理部、ＵＥ…ユーザ端末、ＢＳ…基地局
【図１】
2011139440.tif 000003
【図２】
2011139440.tif 000004
【図３】
2011139440.tif 000005
【図４】
2011139440.tif 000006
【図５】
2011139440.tif 000007
【図６】
2011139440.tif 000008
【図７】
2011139440.tif 000009
【図８】
2011139440.tif 000010
【図９】
2011139440.tif 000011
【図１０】
2011139440.tif 000012
【図１１】
2011139440.tif 000013
【図１２】
2011139440.tif 000014
【図１３】
2011139440.tif 000015